(57)【要約】【課題】外壁利用暖房装置を簡便かつ安価に構成する。【解決手段】外壁利用暖房装置を、外壁１０を構成するコンクリート壁１２の一部により形成される蓄熱体２０と、コンクリート壁１２の外側において蓄熱体２０の周囲を囲む枠体２２と、枠体２２と共同して蓄熱体２０との間に閉鎖空間を形成するガラス板２４とを備えたものとする。ガラス板２４と蓄熱体２０との間に、ガラス板２４を通して蓄熱体２０に太陽光線が入射することを許容する透光状態と阻止する遮光状態とを取り得るロールブラインド２６を設ける。コンクリート壁１２の表面には、太陽光線を吸収し易くするために黒色塗膜６０を塗る。さらに、ガラス板２４とコンクリート壁１２との間に透光性断熱層６４を設け、太陽光線の入射を許容しつつ蓄熱体２０から外部への放熱を抑制する。建物の外壁１０の一部を蓄熱体として利用するため、装置コストを低減させ得る。【選択図】図１
2007162251.tif 000002
【特許請求の範囲】
【請求項１】
建物の外壁の一部である蓄熱体と、
前記外壁の外側に、前記蓄熱体の周囲を囲む状態で設けられた枠体と、
その枠体に前記蓄熱体とほぼ平行に取り付けられ、蓄熱体との間に閉鎖空間を形成する透光板と、
その透光板と前記蓄熱体との間に設けられ、透光板を通して蓄熱体に太陽光線が入射することを許容する透光状態と阻止する遮光状態とを取り得る遮光装置と
を含む外壁利用暖房装置。
【請求項２】
さらに、前記蓄熱体の表面に設けられ、蓄熱体の熱吸収を促進する熱吸収促進層を含む請求項１に記載の外壁利用暖房装置。
【請求項３】
さらに、前記透光板と前記蓄熱体との間に設けられ、太陽光線を透過させる材料から成り、前記蓄熱体から当該外壁利用暖房装置外部への放熱を抑制する透光性断熱層を含む請求項１または２に記載の外壁利用暖房装置。
【請求項４】
前記外壁が、外壁本体と、その外壁本体の外側に設けられた外装材と、それら外壁本体と外装材との間に挟まれた断熱材とを含み、前記外装材および断熱材に開口が形成され、その開口の内周に前記枠体が配設され、前記外壁本体の一部が前記蓄熱体とされた請求項１ないし３のいずれかに記載の外壁利用暖房装置。
【発明の詳細な説明】
【技術分野】
【０００１】
本発明は、建物の外壁に入射する太陽光線を利用して内部の部屋を暖房する外壁利用暖房装置に関するものである。
【背景技術】
【０００２】
本出願人は、先に、トロンブ壁パネルを提案した。下記特許文献１に記載されているものがそれである。このトロンブ壁パネルは、(a)枠体と、(b)その枠体に保持され、内部に蓄熱液を注入するための注入口を備えた蓄熱容器と、(c)その蓄熱容器の一側において前記枠体に保持された透光板とを含み、全体としてパネル状を成すものである。太陽光線が透光板を透過して蓄熱容器に入射することにより、蓄熱容器内の蓄熱液に太陽熱が蓄積され、後に熱放射線として室内に放射されることによって、室内が良好に温められる。このトロンブ壁パネルを住宅等建築物にそのまま取り付ければトロンブ壁となるため、トロンブ壁に関する知識の乏しい建築業者であっても容易にトロンブ壁を設置できる。
【特許文献１】特開２００４−２５６９９２
【発明の開示】
【発明が解決しようとする課題】
【０００３】
しかし、上記トロンブ壁パネルには、蓄熱体として、内部に蓄熱液が充填された蓄熱容器が使用されているため、装置コストが高くなることを避け得ない。本発明は、一層簡便に、安価に、トロンブ壁を設置できるようにすることを課題としてなされたものである。
【課題を解決するための手段】
【０００４】
上記課題は、建物の外壁自体を蓄熱体として利用することにより解決される。近年、外壁がコンクリート壁やブロック壁とされる建物が多く、これらのコンクリート壁やブロック壁は、十分な強度を有するものとするために、相当な厚さで形成されるのが普通であり、相当な熱容量を有している。したがって、適切な集熱，保温手段を講ずれば、太陽光線の熱エネルギを蓄え、建物内の空間の暖房に利用することができるのであり、集熱，保温手段としては、前述のトロンブ壁パネルと殆ど同じものを採用し得る。
【発明の効果】
【０００５】
上記のように、建物の外壁自体を蓄熱体として利用すれば、専用の蓄熱体を設ける必要がないため、大幅なコスト低減を達成することができる。また、内部に蓄熱液が充填された蓄熱容器は、相当の重量を有するため、それを支持する構造も大きな強度を有するものとすること必要であるが、外壁自体を蓄熱体とする場合には、そのような支持構造が省略でき、その点からもコストを低減できる。
【発明の態様】
【０００６】
以下に、本願において特許請求が可能と認識されている発明（以下、「請求可能発明」という場合がある。請求可能発明は、少なくとも、請求の範囲に記載された発明である「本発明」ないし「本願発明」を含むが、本願発明の下位概念発明や、本願発明の上位概念あるいは別概念の発明を含むこともある。）の態様をいくつか例示し、それらについて説明する。各態様は請求項と同様に、項に区分し、各項に番号を付し、必要に応じて他の項の番号を引用する形式で記載する。これは、あくまでも請求可能発明の理解を容易にするためであり、請求可能発明を構成する構成要素の組み合わせを、以下の各項に記載されたものに限定する趣旨ではない。つまり、請求可能発明は、各項に付随する記載，実施例の記載等を参酌して解釈されるべきであり、その解釈に従う限りにおいて、各項の態様にさらに他の構成要素を付加した態様も、また、各項の態様から構成要素を削除した態様も、請求可能発明の一態様となり得るのである。
【０００７】
なお、以下の各項において、（１）項が請求項１に相当し、（２）項が請求項２に、（６）項が請求項３に、（１１）項が請求項４に、それぞれ相当する。
【０００８】
（１）建物の外壁の一部である蓄熱体と、
前記外壁の外側に、前記蓄熱体の周囲を囲む状態で設けられた枠体と、
その枠体に前記蓄熱体とほぼ平行に取り付けられ、蓄熱体との間に閉鎖空間を形成する透光板と、
その透光板と前記蓄熱体との間に設けられ、透光板を通して蓄熱体に太陽光線が入射することを許容する透光状態と阻止する遮光状態とを取り得る遮光装置と
を含む外壁利用暖房装置。
透光板は、単純なガラス板でも、二重ガラスの間が真空にされたものでも、空気あるいはアルゴン，クリプトン等空気より熱伝導率の低い気体が二重ガラスの間に封入されたものでもよい。二重ガラスの間に気体が存在する場合には、二重ガラスの間にハニカム層が設けられることが望ましい。ハニカム層は、例えば、直径２ｍｍ程度の透明材から成る薄肉筒状体の集合や、内面が反射面とされた筒状体の集合により構成される。筒状体の両端開口が二重ガラス板の各々あるいはそれらガラス板とは別の閉塞フィルムにより閉塞されることが望ましい。ハニカム層の存在により、二重ガラス間の気体の対流が妨げられる一方、太陽光線はハニカム層を形成する筒状体内面の反射により良好に導かれる。ローエミッションガラス板でもよい。ローエミッションガラスは外部への熱放射線の放射率が低いものであるが、例えば、二重ガラスの２つの内面の少なくとも一方に銀等金属の薄膜が形成されたものが好適である。金属の薄膜は太陽光線の一部を反射して透過を妨げるが、波長の長い赤外線，遠赤外線等の熱放射線を放射しにくいため、トータルとして断熱効果が期待できる。
遮光装置としては、ロールブラインド，ベネシャンブラインド，カーテン等が採用可能であり、いずれも市販のものを使用できる。遮光装置は、暖房の必要がない時期には遮光状態とされ、必要のある時期には透光状態とされる。したがって、遮光状態においては、外面が太陽光線を良好に反射し、外壁本体が温められることを防止する能力の高いものが好適である。
（２）さらに、前記蓄熱体の表面に設けられ、蓄熱体の熱吸収を促進する熱吸収促進層を含む(1)項に記載の外壁利用暖房装置。
（３）前記熱吸収促進層が、蓄熱体自体より太陽光線を吸収し易い材料から成り、蓄熱体の表面に形成された太陽光線吸収膜を含む(2)項に記載の外壁利用暖房装置。
蓄熱体としての外壁本体の表面は、明色であることが多く、太陽光線の吸収率が十分高いとは言えないことが多い。その場合には、太陽光線吸収膜を形成することが望ましい。
（４）前記太陽光線吸収膜が、前記蓄熱体の表面に塗られた黒色等暗色の塗膜を含む(3)項に記載の外壁利用暖房装置。
（５）さらに、前記透光板と前記蓄熱体との間に設けられ、前者側から後者側へ向かう太陽光線の吸収率の割りに逆向きの赤外線（遠赤外線を含む）の放射率が小さい選択吸収膜を含む(1)項ないし(4)項のいずれかに記載の外壁利用暖房装置。
選択吸収膜としては、例えば、金属シートの表面に銀等、金属の薄膜が形成されたものが採用可能である。薄膜は太陽光線の短波長成分を通過させ、短波長成分は金属シートに吸収され、金属シートを温める。金属シートは、表面は光沢を有し、赤外線等長波長の熱放射線を放射しにくい一方、外壁本体側の面である裏面は光沢がなく、温められた金属シートからの熱放射線が良好に外壁本体に向かって放射されるものとしておけば、外壁本体が効果的に温められる。また、金属シートを外壁本体に接触させ、あるいは外壁本体との間の隙間を熱伝導率の高い物質からなる層で埋めておけば、金属シートの熱が伝導で外壁本体に伝達されるようにすることができる。このように、選択吸収膜が外壁本体に接触して設けられる場合には、その選択吸収膜が(2)項の熱吸収促進層の一例となる。
（６）さらに、前記透光板と前記蓄熱体との間に設けられ、太陽光線を透過させる材料から成り、前記蓄熱体から当該外壁利用暖房装置外部への放熱を抑制する透光性断熱層を含む(1)項ないし(5)項のいずれかに記載の外壁利用暖房装置。
透光性断熱層は、外壁本体あるいはその表面に設けられた太陽光線吸収膜，選択吸収膜等に太陽光線が入射することは妨げず、外壁本体に蓄えられた熱が外部へ放熱されてしまうことを防止する。
（７）前記透光性断熱層が、透明シートが複数枚、間に空気層を挟んで重ねられたものである(6)項に記載の外壁利用暖房装置。
（８）前記空気層にハニカム層が配設された(7)項に記載の外壁利用暖房装置。
本項のハニカム層についても、前記(1)項の説明が当てはまる。
（９）前記透光性断熱層が、透明材料から成るハニカム層を含む(6)項または(7)項に記載の外壁利用暖房装置。
透光性断熱層がハニカム層のみから成る場合には、ハニカム層を形成する筒状体の少なくとも一端が閉塞され、空気の流通が妨げられる構造のものが好適である。
（１０）前記透光性断熱層が前記遮光装置と前記蓄熱体との間に設けられた(6)項ないし(9)項のいずれかに記載の外壁利用暖房装置。
（１１）前記外壁が、外壁本体と、その外壁本体の外側に設けられた外装材と、それら外壁本体と外装材との間に挟まれた断熱材とを含み、前記外装材および断熱材に開口が形成され、その開口の内周に前記枠体が配設され、前記外壁本体の一部が前記蓄熱体とされた(1)項ないし(10)項のいずれかに記載の外壁利用暖房装置。
外壁が、外壁本体と、外装材と、それらの間に挟まれた断熱材とを含むものである場合には、断熱性に優れるが、そこに外壁利用暖房装置が構成される場合には、外装材および断熱材のない凹部が設けられ、その凹部に枠体，透光板、遮光装置等から成る覆蓋部が設置されることとなる。しかし、覆蓋部は、その目的からして必然的に断熱性の優れたものとされるため、外装材および断熱材の層の代替機能は十分に果たす。また、覆蓋部の少なくとも一部が外装材と断熱材との層内に埋まった状態となるため、外壁外面からの突出量が小さくて済み、あるいは突出しない状態とすることができる。
（１２）前記枠体が、前記外壁本体より熱伝導率の低い材料から成る(1)項ないし(11)項のいずれかに記載の外壁利用暖房装置。
暖房の必要な時期に、外壁本体に蓄えられた熱が枠体内の伝導により外部に放熱されること、および暖房が不要な時期に枠体に吸収された太陽光線の熱が外壁本体に伝達されることを抑制するためである。
（１３）前記枠体と前記外壁本体との間に断熱材が配設された(1)項ないし(12)項のいずれかに記載の外壁利用暖房装置。
枠体と外壁本体との間に断熱材を配設すれば、枠体経由の伝熱を抑制し得る。枠体自体が木材等、熱伝導率の低い材料から成るものにできない場合には、断熱材の配設が特に望ましい。
（１４）さらに、前記外壁本体の前記蓄熱体として機能する部分とそれ以外の部分である周辺部とに跨って配設され、両部分間の熱伝達を促進し、周辺部をも蓄熱体として機能させる熱伝達促進装置を含む(1)項ないし(13)項のいずれかに記載の外壁利用暖房装置。
外壁本体の、覆蓋部により覆われている部分が蓄熱体として機能するのであるが、それでは熱容量が不足である場合には、熱伝達促進装置を設ければ、覆蓋部により覆われている部分により集熱された熱を、覆蓋部により覆われていない部分へ送って蓄えさせることができる。周辺部をも蓄熱体として機能させ、蓄熱体の熱容量を大きくすることができるのである。
上記周辺部は、必ずしも外壁本体の蓄熱体として機能する部分と同一平面上に位置する必要はなく、例えば、蓄熱体として機能する部分とは向きが異なっており、太陽光線が入射しない部分でもよい。
（１５）熱伝達促進装置が、熱媒液の循環により蓄熱体の熱の一部を前記周辺部に供給する熱媒液循環装置を含む(15)項に記載の外壁利用暖房装置。
熱媒液循環装置は、熱媒液を強制循環させるものでも、自然循環させるものでもよい。
【実施例】
【０００９】
以下、請求可能発明のいくつかの実施例を、図を参照しつつ詳しく説明する。なお、請求可能発明は、下記実施例の他、上記〔発明の態様〕の項に記載された態様を始めとして、当業者の知識に基づいて種々の変更を施した態様で実施することができる。
【００１０】
図１に、本発明の一実施例としての外壁利用暖房装置を示す。図１には、例えばマンション等の建物の南側に外壁利用暖房装置が設置された状態が示されている。建物の南側の外壁１０は、外壁本体たるコンクリート壁１２と、コンクリート壁１２の外側に設けられた外装材１４と、それらコンクリート壁１２と外装材１４との間に挟まれた断熱材１６とを含むものである。
【００１１】
本実施例における外壁利用暖房装置は、コンクリート壁１２の一部により構成される蓄熱体２０と、外壁１０の外側に、蓄熱体２０の周囲を囲む状態で設けられた枠体２２と、枠体２２に蓄熱体２０とほぼ平行に取り付けられ、枠体２２と共に蓄熱体２０との間に閉鎖空間を形成するガラス板２４と、ガラス板２４と蓄熱体２０との間に設けられ、ガラス板２４を通して蓄熱体２０に太陽光線が入射することを許容する透光状態と阻止する遮光状態とを取り得るロールブラインド２６とを備えるものである。上記枠体２２とガラス板２４とを含む覆蓋部２８によって蓄熱体２０が覆われている。
【００１２】
前記外壁１０の外装材１４および断熱材１６には、それぞれ互いに対応する位置に開口する開口３０，３２が形成されており、本外壁利用暖房装置を設置する際には、上記開口３０，３２の内周に枠体２２が配設され、コンクリート壁１２の一部が蓄熱体２０とされる。枠体２２は、断熱性を有する材料から成る下地材３４を介して、外壁１０（コンクリート壁１２）に保持されている。
【００１３】
枠体２２は、本実施例では、コンクリート壁１２より熱伝導率の低い木製であり、前記蓄熱体２０の四方を囲む一対の縦枠（図示省略）と一対の横枠４２とを備える枠本体４４と、それら縦枠，横枠４２を一方の側から(図示の例では室外側から）覆う状態で固定された金属製の保持部材４６とを備えている。保持部材４６は、一方の端部にガラス板２４を保持する保持部４８を有するとともに、反対側の端部には前記下地材３４に取り付けられる取付部４９を有するものである。
【００１４】
ガラス板２４は、枠体２２の室内側とは反対側の前記保持部４８に保持されている。ガラス板２４は、透光板の一形態であり、透光板は、本実施例のようにガラス板のみから成るものとしてもよいし、ガラス板とそれの外縁部を囲む枠体とから成るものとしてもよい。ガラス板は、図示の例では２層のＬｏｗ−Ｅ（Low Emission）ガラス板とされているが、３層のＬｏｗ−Ｅガラス板や真空断熱ガラス板でもよいし、通常の２層，３層ガラス板、あるいは、条件によっては単層のガラス板でもよい。なお、上記２，３層のＬｏｗ−Ｅガラスおよび真空断熱ガラスは、公知のものであるため詳細な説明は省略するが、太陽光線の透過を許容するとともに、ガラス板により覆われた内部空間からの放熱を抑制する効果を有するものである。
【００１５】
外壁利用暖房装置が、図１に示す場合のように、建物の外壁よりも外側に突出する部分には防水処理が施されることが望ましい。例えば、外壁よりも外側に突出した枠体２２の外周部（の特に上部および下部）を、防水性を有する外枠５０で被覆する。なお、本実施例の場合、上記外枠５０は、枠体２２の保持部４８と共に、ガラス板２４を保持する保持部としても機能する。
【００１６】
ガラス板２４は、枠体２２に着脱可能に保持されている。外壁利用暖房装置の設置後に、枠体２２およびガラス板２４によって形成される空間内に対して作業者が作業を行う場合には、ガラス板２４が取り外される。外枠５０の枠体２２への固定が解除されることにより、ガラス板２４を容易に取り外すことができる。あるいは、ガラス板２４が枠体２２に固定され、その固定を解除して枠体２２から取り外される構成としてもよいし、ガラス板２４が枠体２２に開閉可能に保持されてもよい。ガラス板２４を開閉可能とすれば、外壁利用暖房装置の設置後に、枠体２２およびガラス板２４によって形成される空間内に対する作業を行うことが容易となる。
【００１７】
コンクリート壁１２の表面（室外側のガラス板２４に対向する側の面）には、黒色塗膜６０が塗られている。この黒色塗膜６０は、明色のコンクリート壁１２に対して太陽光線を吸収し易くするために形成され、熱吸収促進層たる太陽光線吸収膜の一形態である。  また、コンクリート壁１２の表面に、黒色塗膜に代えて、選択吸収膜処理を施してもよい。選択吸収膜処理は公知のものであるので詳細な説明は省略するが、この処理が施されることにより、太陽光線が吸収され易くなる一方、蓄熱体２０からガラス板２４側への放熱が抑制される。
【００１８】
さらに、ガラス板２４とコンクリート壁１２との間には、コンクリート壁１２の表面を覆うように、透光性断熱層６４が設けられている。透光性断熱層６４は、２枚の透明シート７０，７２が間に空気層を挟んで重ねられることにより内部に閉鎖空間を形成し、その空気層に透明材料あるいは表面の反射率の高い材料から成るハニカム層７６が配設されたものである。ハニカム層７６は、上記閉鎖空間の太陽光線通過を妨げることを極力回避しつつ、空気の対流を防止する役割を果たす。透光性断熱層６４により、太陽光線の蓄熱体２０への入射を許容しつつ、室内側空間（コンクリート壁１２側空間）と室外側空間との間の空気の流通が極力防止され、コンクリート壁１２から外壁利用暖房装置外部への放熱が抑制される。
【００１９】
本実施例における遮光装置たるロールブラインド２６は、遮光シート８０を含むものであり、遮光シート８０が巻取装置８２に巻き取られることにより透光状態とされ、巻取装置８２から引き出されることにより遮光状態とされる。巻取装置８２は、枠体２２の幅方向（横枠４２の延びる方向）に延び、その長手方向の両端部において枠体２２に自身の中心軸線を回転軸線として回転可能に保持された巻取ロールを備えている。遮光シート８０のガラス板２４側の面は、太陽光線を反射する反射面８４とされ、蓄熱体２０側の面も蓄熱体２０からの放射熱線を反射する反射面８６とされている。例えば、金属箔の表面により反射面８４，８６を構成することができる。ただし、反射面８４，８６の少なくとも一方を省略することも可能である。
【００２０】
遮光シート８０は、操作装置９０によって室内および屋外からそれぞれ操作可能となっている。操作装置９０は、操作部材としての操作紐９２，９４を含むものである。操作紐９２，９４の各一端部が遮光シート８０の下端部の中央部にそれぞれ結合されており、一方の操作紐９２は、枠体２２内の空間およびコンクリート壁１２の開口１００を経て室内側に引き出され、他方の操作紐９４は、枠体２２内の空間と、横枠４２および保持部材４６のそれぞれ対応する部分に形成された開口１０２，１０４とを経て屋外へ引き出されている。操作紐９２は、枠体２２内の空間に設けられた案内部材１０６によって室内側に案内される。巻取装置８２の巻取ロールは、枠体２２との間、あるいは枠体２２に固定の保持ブラケットとの間に設けられた図示を省略する付勢装置によって、遮光シート８０を巻き取る方向に常に付勢されている。したがって、上記付勢装置の付勢力に抗して、操作紐９２，９４の一方を作業者が操作して巻取ロールを回転させることにより、遮光状態とすることができる。そして、操作紐９４，９６の室内および屋外に引き出された部分の先端には、錘り１１０，１１２が取り付けられ、操作紐９４，９６を、室内および屋外に設けられた巻掛部材１１４，１１６に数回巻き掛けた状態とすることにより、遮光シート８０がそれ以上巻き取られることが防止され、上記遮光状態を維持することができる。ロールブラインド２６を透光状態にする場合には、操作紐９２，９４が巻掛部材１１４，１１６に巻き掛けられた状態を解除することにより、上記付勢装置の付勢力によって遮光シート８０が巻取ロールに巻き取られる。
【００２１】
本実施例の外壁利用暖房装置によれば、ガラス板２４を透過した太陽光線が透光性断熱層６４を経てコンクリート壁１２に入射することによって、コンクリート壁１２が温められ、室内に放熱されて室内が温められる。コンクリート壁１２の一部を蓄熱体２０として機能させることにより、省エネルギーかつ環境負荷の小さい暖房装置を安価に得ることができる。また、ロールブラインド２６を設けることにより、夏，冬等の季節や昼夜等の時間帯などの状況に応じて、太陽光線の遮断や室内から室外への放熱の防止等を選択して暖房装置の暖房状態を調節できる。例えば、冬季、外壁利用暖房装置に太陽光線が入射する時間帯は、ロールブラインド２６を透光状態とするが、太陽光線が入射しない時間帯は遮光状態として蓄熱体２０から放射される熱線を反射させるようにすれば、蓄積された熱が無駄に屋外へ放出されることを防止することができる。
【００２２】
外壁利用暖房装置はさらに、図２に示すように、熱伝達促進装置の一種としての熱媒液循環装置１３０を備えたものとすることができる。熱媒液循環装置１３０は、熱媒液で満たされ、コンクリート壁１２の蓄熱体２０として機能する部分とそれ以外の部分である周辺部１３２とに跨って配設された熱媒液循環路１３６と、熱媒液循環路１３６における蓄熱体２０と周辺部１３２との接続部近傍に設けられた開閉式のバルブ１３８とを備えている。図示は省略するが、バルブ１３８の開閉を操作するための操作部は、屋外あるいは屋内に突出させられる。なお、図２において、蓄熱体２０を覆う枠体２２およびガラス板２４を含む覆蓋部２８を二点鎖線で示す。覆蓋部２８等を経て集熱された熱によって、蓄熱体２０が温められるとともに、蓄熱体２０により熱媒液循環路１３６内の熱媒液が温められる。バルブ１３８を開状態とすれば、図２に矢印で示すように、熱媒液循環路１３６の蓄熱体２０内に位置する部分では熱媒液が上昇し、周辺部１３２では下降して自然循環させられる。この熱媒液の循環により、蓄熱体２０の熱の一部が周辺部１３２に供給され、周辺部１３２も蓄熱体として機能させることができ、室内を良好に暖めることができる。あるいは、熱媒液循環路１３６の、蓄熱体２０内の部分と周辺部１３２内の部分とを接続する接続部（バルブ１３８が設けられている上側の接続部でも、下側の接続部でもよい）に小型ポンプを設けて、熱媒液を強制循環させることも可能である。
【図面の簡単な説明】
【００２３】
【図１】請求可能発明の一実施例である外壁利用暖房装置が建物に設置された状態を示す側面断面図である。
【図２】別の実施例である外壁利用暖房装置の熱媒液循環装置を示す正面断面図である。
【符号の説明】
【００２４】
１０：外壁    １２：コンクリート壁    １４：外装材    １６：断熱材    ２０：蓄熱体    ２２：枠体    ２４：ガラス板    ２６：ロールブラインド    ６０：黒色塗膜    ６４：透光性断熱層    １３０：熱媒液循環装置
【図１】
2007162251.tif 000003
【図２】
2007162251.tif 000004